(57)【要約】【課題】ユーザが必要とする複数のコンテンツ表示画面を、効率よく簡便に、表示制御することができる多層ワーク支援装置を提供する。【解決手段】多層ワーク支援装置１０は、複数の制御装置１００並びにディスプレイ１４を含む。複数のディスプレイ１４ａ〜１４ｃにおいて、アクディブ化されたウインドウ１４０−１〜１４０−３が存在する場合、表示ボタン４２が書込み準備状態になった状態で、登録ボタン４４が再度押下されると、当該複数の対象が、書込み準備状態である１つの表示ボタン４２に割り当てられる。多層ワーク支援装置１０は、複数の対象を表示する旨の指定を１つの表示ボタン４２に割り当てて、当該表示ボタン４２に関する新たなデータをボタン管理表に登録する。【選択図】  図８
2007133568.tif 000002
【特許請求の範囲】
【請求項１】
複数のディスプレイと、
表示ボタンと、
前記ディスプレイの少なくともいずれかにおいて選択された対象を、前記表示ボタンに割り当てる割当手段と
を有する多層ワーク支援装置。
【請求項２】
前記割当手段は、複数の前記ディスプレイにおいて選択された複数の対象を１つの前記表示ボタンに割り当てる
請求項１に記載の多層ワーク支援装置。
【請求項３】
前記割当手段は、複数の前記ディスプレイにおいて選択された複数の対象それぞれを異なる前記表示ボタンに割り当てる
請求項１に記載の多層ワーク支援装置。
【請求項４】
前記割当手段は、選択されたワークセットに含まれる複数の対象を前記表示ボタンに割り当てる
請求項２又は３に記載の多層ワーク支援装置。
【請求項５】
ユーザ情報を記憶するユーザ情報記憶手段をさらに有し、
前記割当手段は、前記ユーザ情報記憶手段により記憶されているユーザ情報に基づいて検索された対象を前記表示ボタンに割り当てる
請求項１乃至４のいずれかに記載の多層ワーク支援装置。
【請求項６】
前記割当手段がユーザ情報に基づいて検索された対象を前記表示ボタンに割り当てた場合、当該表示ボタンの外観が変化される
請求項５に記載の多層ワーク支援装置。
【請求項７】
複数のディスプレイと、
表示ボタンと、
前記表示ボタンに割り当てられた対象を前記複数のディスプレイの少なくともいずれかに表示する表示制御手段と
を有する多層ワーク支援装置。
【請求項８】
前記表示制御手段は、前記表示ボタンにより指定された複数の対象を、それぞれ異なる前記ディスプレイに表示する
請求項７に記載の多層ワーク支援装置。
【請求項９】
複数のディスプレイと、
表示ボタンと、
前記ディスプレイの少なくともいずれかにおいて選択された対象を、前記表示ボタンに割り当てる割当手段と、
前記割当手段により割り当てられた対象を、前記表示ボタンの操作に基づいて前記複数のディスプレイの少なくともいずれかに表示する表示制御手段と
を有する多層ワーク支援装置。
【請求項１０】
複数のディスプレイと表示ボタンとを含む多層ワーク支援装置において、
前記ディスプレイの少なくともいずれかにおいて選択された対象を受け付け、
前記受け付けられた対象を前記表示ボタンに割り当てる
多層ワーク支援装置の割当方法。
【請求項１１】
複数のディスプレイと表示ボタンとを含む多層ワーク支援装置において、
前記表示ボタンを介して対象の指定を受け付け、
前記受け付けられた対象を前記複数のディスプレイの少なくともいずれかに表示する
多層ワーク支援装置の表示方法。
【請求項１２】
複数のディスプレイと表示ボタンとを含む多層ワーク支援装置において、
前記ディスプレイの少なくともいずれかにおいて選択された対象を受け付け
前記受け付けられた対象を前記表示ボタンに割り当て、
前記割り当てられた対象を、前記表示ボタンの操作に基づいて前記複数のディスプレイの少なくともいずれかに表示する
多層ワーク支援装置の表示方法。
【請求項１３】
コンピュータと複数のディスプレイと表示ボタンとを含む多層ワーク支援装置において、
前記ディスプレイの少なくともいずれかにおいて選択された対象を受け付ける受付ステップと、
前記受け付けられた対象を前記表示ボタンに割り当てる割当ステップと
を前記多層ワーク支援装置のコンピュータに実行させるプログラム。
【請求項１４】
コンピュータと複数のディスプレイと表示ボタンとを含む多層ワーク支援装置において、
前記表示ボタンを介して対象の指定を受け付ける受付ステップと、
前記受け付けられた対象を前記複数のディスプレイの少なくともいずれかに表示する表示制御ステップと
を前記多層ワーク支援装置のコンピュータに実行させるプログラム。
【請求項１５】
コンピュータと複数のディスプレイと表示ボタンとを含む多層ワーク支援装置において、
前記ディスプレイの少なくともいずれかにおいて選択された対象を受け付ける受付ステップと、
前記受け付けられた対象を前記表示ボタンに割り当てる割当ステップと、
前記割り当てられた対象を、前記表示ボタンの操作に基づいて前記複数のディスプレイの少なくともいずれかに表示する表示制御ステップと
を前記多層ワーク支援装置のコンピュータに実行させるプログラム。
【発明の詳細な説明】
【技術分野】
【０００１】
本発明は、パーソナルコンピュータ、ディスプレイ、スピーカ等のコンピューティング環境を、複数、機能的に統合して、複雑多数のワークに効率よく取り組むためのコンピューティング環境を構築する技術に関する。
【背景技術】
【０００２】
一般に、従来のパーソナルコンピュータ（ＰＣ）その他のＷｅｂページ閲覧機能を有する装置では、ユーザが特定のＷｅｂページを表示する場合、ユーザは、ブラウザソフトの起動、リンク先ＵＲＬのプルダウンメニュー表示、及び目的とするＷｅｂページの指定という複数の操作を行う。より簡易な方法としては、ユーザは、目的とするＷｅｂページを表示するブラウザ起動ショートカットアイコンをデスクトップ上に配置することにより、特定のＷｅｂページを１操作で表示することができる。
【０００３】
特許文献１〜特許文献３において、ユーザが事前に幾つかのＣＧ画像を準備し、ウエブページのＵＲＬと任意のＣＧ画像とを組にしてブックマークとして登録し、このＣＧ画像をバーチャルタウン上に配置することにより、対象コンテンツへのリンクと１対１で対応するショートカットアイコンが開示されている。
【０００４】
【特許文献１】特開平１０−２５４９１０号公報
【特許文献２】特開平１１−１９５０２７号公報
【特許文献３】特開平１０−２６５３３１号公報
【発明の開示】
【発明が解決しようとする課題】
【０００５】
しかしながら、特許文献１〜特許文献３に開示されている技術では、ユーザは、対象とするコンテンツを表示するためのアイコンやメニューを用いて、１回の操作で１つのコンテンツ表示ウインドウしか起動することが出来なかった。さらに、ユーザは、ウインドウに表示された複数のコンテンツへのリンクを、１つのアイコンに設定することも出来なかった。このため、ユーザは、関連する複数のウインドウを開く場合、ウインドウの数に応じた操作回数を必要とし、無駄な時間を費やす場合が多い。また、ユーザが、個々のワークセットに必要な関連する複数のウインドウを瞬時に選択することも困難であった
【０００６】
本発明は、上述した背景からなされたものであり、ユーザが必要とする複数のコンテンツ表示画面を、効率よく簡便に、表示制御することができる多層ワーク支援装置を提供することを目的とする。
【課題を解決するための手段】
【０００７】
上記目的を達成するために、本発明に係る第１の多層ワーク支援装置は、複数のディスプレイと、表示ボタンと、前記ディスプレイの少なくともいずれかにおいて選択された対象を、前記表示ボタンに割り当てる割当手段とを有する。
【０００８】
好適には、前記割当手段は、複数の前記ディスプレイにおいて選択された複数の対象を１つの前記表示ボタンに割り当てる。
好適には、前記割当手段は、複数の前記ディスプレイにおいて選択された複数の対象それぞれを異なる前記表示ボタンに割り当てる。
好適には、前記割当手段は、選択されたワークセットに含まれる複数の対象を前記表示ボタンに割り当てる。
【０００９】
好適には、ユーザ情報を記憶するユーザ情報記憶手段をさらに有し、前記割当手段は、前記ユーザ情報記憶手段により記憶されているユーザ情報に基づいて検索された対象を前記表示ボタンに割り当てる。
好適には、前記割当手段がユーザ情報に基づいて検索された対象を前記表示ボタンに割り当てた場合、当該表示ボタンの外観が変化される。
【００１０】
本発明に係る第２の多層ワーク支援装置は、複数のディスプレイと、表示ボタンと、前記表示ボタンに割り当てられた対象を前記複数のディスプレイの少なくともいずれかに表示する表示制御手段とを有する。
【００１１】
好適には、前記表示制御手段は、前記表示ボタンにより指定された複数の対象を、それぞれ異なる前記ディスプレイに表示する。
【００１２】
また、本発明に係る第３の多層ワーク支援装置は、複数のディスプレイと、表示ボタンと、前記ディスプレイの少なくともいずれかにおいて選択された対象を、前記表示ボタンに割り当てる割当手段と、前記割当手段により割り当てられた対象を、前記表示ボタンの操作に基づいて前記複数のディスプレイの少なくともいずれかに表示する表示制御手段とを有する。
【００１３】
本発明に係る多層ワーク支援装置の割当方法は、複数のディスプレイと表示ボタンとを含む多層ワーク支援装置において、前記ディスプレイの少なくともいずれかにおいて選択された対象を受け付け、前記受け付けられた対象を前記表示ボタンに割り当てる。
【００１４】
また、本発明に係る多層ワーク支援装置の第１の表示方法は、複数のディスプレイと表示ボタンとを含む多層ワーク支援装置において、前記表示ボタンを介して対象の指定を受け付け、前記受け付けられた対象を前記複数のディスプレイの少なくともいずれかに表示する。
【００１５】
さらに、本発明に係る多層ワーク支援装置の第２の表示方法は、複数のディスプレイと表示ボタンとを含む多層ワーク支援装置において、前記ディスプレイの少なくともいずれかにおいて選択された対象を受け付け、前記受け付けられた対象を前記表示ボタンに割り当て、前記割り当てられた対象を、前記表示ボタンの操作に基づいて前記複数のディスプレイの少なくともいずれかに表示する。
【００１６】
本発明に係る第１のプログラムは、コンピュータと複数のディスプレイと表示ボタンとを含む多層ワーク支援装置において、前記ディスプレイの少なくともいずれかにおいて選択された対象を受け付ける受付ステップと、前記受け付けられた対象を前記表示ボタンに割り当てる割当ステップとを前記多層ワーク支援装置のコンピュータに実行させる。
【００１７】
また、本発明に係る第２のプログラムは、コンピュータと複数のディスプレイと表示ボタンとを含む多層ワーク支援装置において、前記表示ボタンを介して対象の指定を受け付ける受付ステップと、前記受け付けられた対象を前記複数のディスプレイの少なくともいずれかに表示する表示制御ステップとを前記多層ワーク支援装置のコンピュータに実行させる。
【００１８】
さらに、本発明に係る第３のプログラムは、コンピュータと複数のディスプレイと表示ボタンとを含む多層ワーク支援装置において、前記ディスプレイの少なくともいずれかにおいて選択された対象を受け付ける受付ステップと、前記受け付けられた対象を前記表示ボタンに割り当てる割当ステップと、前記割り当てられた対象を、前記表示ボタンの操作に基づいて前記複数のディスプレイの少なくともいずれかに表示する表示制御ステップとを前記多層ワーク支援装置のコンピュータに実行させる。
【発明の効果】
【００１９】
本発明に係る多層ワーク支援装置によれば、ユーザの円滑な業務遂行を支援することができる。
【発明を実施するための最良の形態】
【００２０】
図１は、本発明の実施形態に係る多層ワーク支援装置１０を示す図である。
図１に示すように、多層ワーク支援装置１０は、装置本体１２を中心として構成されており、装置本体１２を支える脚部４０、ディスプレイ１４ａ〜１４ｃ、これらのディスプレイ１４ａ〜１４ｃに表示する対象を指定するボタン群が配置された情報アクセス装置１６ａ，１６ｂ、及び入出力インターフェイス（ＩＦ）２２を有する。また、多層ワーク支援装置１０は、所定の音を出力するスピーカ（不図示）も有する。
なお、脚部４０は着脱可能であってもよく、装置本体１２がテーブル等に載置されて用いられてもよい。また、ディスプレイ１４ａ〜１４ｃなど、複数ある構成部分のいずれかを特定せずに示すときには、単にディスプレイ１４などと略記することがある。
【００２１】
ディスプレイ１４ａ〜１４ｃは、装置本体１２の正面に設けられており、横方向に配列されている。ディスプレイ１４ａ〜１４ｃは、例えば同一の画面サイズの液晶ディスプレイである。ディスプレイ１４は、後述する制御装置１００により制御されて、所定の情報を表示する。
なお、ディスプレイ１４は、仮想的なコンピュータのディスプレイであってもよい。また、ディスプレイ１４は、ＣＲＴ，ＰＤＰ等から構成されてもよく、それぞれが互いに異なる画面サイズであってもよい。
【００２２】
情報アクセス装置１６ａ，１６ｂは、ユーザに対してディスプレイ１４の手前であって、装置本体１２の左側及び右側の双方に設けられている。情報アクセス装置１６は、例えばタッチパネルからなり、制御装置１００により制御されて、所定の情報を表示し、さらに、ユーザからの入力を受け付けて制御装置１００に対して出力する。なお、情報アクセス装置１６は、装置本体１２の左側及び右側のいずれかに設けられてもよい。
【００２３】
情報アクセス装置１６には、複数のボタン１８が設けられており、ボタン群は、これらのボタン１８により構成される。ボタン１８には、表示対象あるいは演算の指定など、所定の動作が割り当てられており、情報アクセス装置１６は、ボタン１８が押下されることにより、ユーザから所望の指定を受け付ける。なお、ボタン１８が押下されたときの動作等は、後で詳述する。
【００２４】
情報アクセス装置１６ａ，１６ｂの間には、所定の物が載置される載置部２０が設けられており、この載置部２０の上面には、パーソナルコンピュータ（ＰＣ）等の入力装置２６が載置されてもよい。ここで、入力装置２６は、キーボード及びポインティングデバイスを含み、通信ケーブル２４を介して入出力ＩＦ２２と接続されて、多層ワーク支援装置１０の制御装置１００と、データを通信する。
ユーザは、このような多層ワーク支援装置１０を用いて、ネットワークを介して提供されるＷｅｂページ、記憶装置内に格納されているファイル等にアクセスして、多くの仕事を多層的に行う。
【００２５】
図２は、多層ワーク支援装置１０において用いられるコンピュータのハードウェア構成を示す図である。
図２に示すように、多層ワーク支援装置１０は、制御装置１００ａ〜１００ｅ、及び中継装置１１２を有し、制御装置１００ａ〜１００ｅのそれぞれは、ＣＰＵ１０４及びメモリ１０６を含む処理装置１０２、通信ＩＦ１０８、及び記憶装置１１０を有する。
【００２６】
制御装置１００において、通信ＩＦ１０８は、中継装置１１２を介して、他の制御装置１００、外部の入力装置２６、及びＬＡＮ，ＷＡＮ等のネットワーク２と、所定のデータを通信する。記憶装置１１０は、例えばＨＤＤ装置、ＣＤ装置あるいはＤＶＤ装置であり、データを記憶及び再生する。
このように、制御装置１００は、プログラムの実行による情報処理、及びネットワークを介して他の制御装置１００等との間の通信が可能なコンピュータとしての構成部分を有する。
【００２７】
中継装置１１２は、制御装置１００の間で送信及び受信されるデータを中継し、また、入力装置２６及びネットワーク２を介して接続される外部のコンピュータ（不図示）と、入出力ＩＦ２２を介して通信を行う。なお、この中継装置１１２は、サーバとして実現してもよく、また、制御装置１００がＰＣなどのネットワークアドレスを有する形で実現される場合には、複数の制御装置１００が、中継装置１１２を介さず、直接ＰｔｏＰ方式で接続されてもよい。
【００２８】
また、制御装置１００ａは、第１のディスプレイ１４ａに表示される情報を制御し、制御装置１００ｂは、第２のディスプレイ１４ｂに表示される情報を制御し、制御装置１００ｃは、第３のディスプレイ１４ｃに表示される情報を制御する。制御装置１００ｄは、第１の情報アクセス装置１６ａに表示される情報を制御し、第１の情報アクセス装置１６ａからの入力を受け付ける。同様に、制御装置１００ｅは、第２の情報アクセス装置１６ｂに表示される情報を制御し、第２の情報アクセス装置１６ｂからの入力を受け付ける。このように、ディスプレイ１４ａ〜１４ｃ及び情報アクセス装置１６ａ，１６ｂは、それぞれ異なる制御装置１００により制御される。なお、制御装置１００は、通常のＰＣで実現されてもよい。
【００２９】
さらに、制御装置１００ａは、第２のディスプレイ１４ｂ、第３のディスプレイ１４ｃ、及び情報アクセス装置１６ａ，１６ｂに対して、所定の情報を表示させる。この場合、制御装置１００ａは、例えば、制御装置１００ｂとデータを通信して、第２のディスプレイ１４ｂに情報を表示させる。また、制御装置１００ａは、情報アクセス装置１６ａ，１６ｂから入力されたデータを、制御装置１００ｄ，１００ｅを介して受け付ける。制御装置１００ｂ〜１００ｅもまた、同様にして、いずれのディスプレイ１４等に対しても情報を表示させ、いずれの情報アクセス装置１６からデータを受け付ける。
【００３０】
なお、いずれかの制御装置１００が、複数のディスプレイ１４及び情報アクセス装置１６を制御してもよいし、これらの全てを制御してもよい。また、１つの制御装置１００には、複数のＣＰＵ１０４及びメモリ１０６が含まれてもよい。
【００３１】
図３は、情報アクセス装置１６に表示されるボタン群と、ディスプレイ１４に表示されるウインドウ１４０を例示する図である。
図３に例示するように、ボタン群には、表示ボタン４２−１〜４２−ｍと、機能ボタンとが含まれ、機能ボタンには、登録ボタン４４、制御ボタン４６、解除ボタン４８、消去ボタン５０、分割ボタン５２、抽出ボタン５４、及び実行ボタン５６が含まれる。表示ボタン４２及び機能ボタンは、押下可能な形及びサイズで表示される。なお、ボタン群を構成するこれらのボタンの数は、本例に限定されず、ボタンの配置も図３に示される配置に限定されない。
【００３２】
表示ボタン４２は、ディスプレイ１４に表示される対象（コンテンツ）を指定するボタンである。指定される対象には、Ｗｅｂページ、記憶装置１１０に保持されている電子ファイル、ネットワーク２を介して接続された他の電子機器に保持されている電子ファイル等が含まれる。また、表示ボタン４２のそれぞれには、これらの対象を指定する接続先が登録される。なお、以降、接続先をリンク先ともいう。
【００３３】
例えば、表示ボタン４２−１が押下されると、当該表示ボタン４２−１に登録されているＷｅｂページが、ディスプレイ１４ａ〜１４ｃの少なくともいずれかに表示される。本例では、ウインドウ１４０−１，１４０−２が、ディスプレイ１４ａ，１４ｂに表示されている。また、ユーザが、記憶されている電子ファイルを指定する表示ボタン４２を押下すると、所定のアプリケーションが起動されて、指定された電子ファイルがいずれかのディスプレイ１４に表示される。
【００３４】
機能ボタンは、登録ボタン４４、制御ボタン４６等、所定の動作を指定するボタンの総称である。登録ボタン４４は、対象を表示ボタン４２のいずれかに割り当てるボタンである。制御ボタン４６は、表示ボタン４２への登録の可否を制御するボタンである。解除ボタン４８は、いずれかの機能ボタンが押されている状態を解除するボタンである。消去ボタン５０は、表示ボタン４２に登録されている内容を消去するボタンである。分割ボタン５２は、複数の対象のそれぞれを、異なる表示ボタン４２に登録するボタンである。抽出ボタン５４は、フォルダに含まれる個々の対象に関する情報を抽出するボタンである。実行ボタン５６は、登録操作を補完して完了させるボタンである。なお、これらの機能ボタンの詳細は、後で詳述する。
【００３５】
図４は、表示ボタン４２それぞれに割り当てられている項目を管理するボタン管理表を例示する図である。
図４に例示するように、表示ボタン４２それぞれについて、ボタン名、表示名称、色、大きさ、形状、接続先が登録され、管理されている。これらの項目は、制御装置１００の記憶装置１１０に記憶されている。
ボタン名は、ボタン群に含まれる表示ボタン４２を一意に識別する識別子である。表示名称は、当該ボタンが情報アクセス装置１６に表示される際に、表示される文字列である。色、大きさ及び形状は、当該ボタンが情報アクセス装置１６に表示される際の外観を示す。例えば、ボタンの色は黒であり、ボタンの大きさは大であり、ボタンの形状は長方形１である。
【００３６】
接続先は、当該ボタンが押下されたときにディスプレイ１４に表示される対象を示し、例えば、ＵＲＬ、ファイル等の対象が保存されている場所へのパス、ＩＰアドレス等が登録されている。ユーザは、表示ボタン４２を押下したり、マウスでクリックしたりして、特定の接続先（例えば、Ｗｅｂページ、記憶装置１１０に保持されている電子ファイル、ネットワーク２を介して接続された他の電子機器等）の起動を指示する。
【００３７】
次に、本発明に係る多層ワーク支援装置１０の理解を容易にするために、本発明の概要を説明する。
まず、ディスプレイ１４ａ〜１４ｃにおいて選択された対象の表示ボタン４２への割り当てを説明する。
図５は、登録ボタン４４が押下されて、表示ボタン４２が書込み準備状態になった状態を示す図である。
図５に示すように、登録ボタン４４がユーザにより押下されると、表示ボタン４２それぞれは、書込み準備状態及び書込み制限状態のいずれかの状態になる。
【００３８】
書込み準備状態は、ディスプレイ１４に表示されている対象が割り当てられることを許可する状態であり、図中の矢印Ｔにより示される表示ボタン４２は、書込み準備状態である。表示ボタン４２は、書込み準備状態になると、その外観が変化される。表示ボタン４２の外観の変化は、ボタンの色、大きさ並びに形状の変化、及び点滅有無の変化を含む。例えば、表示ボタン４２が書込み準備状態になると、ボタンの色が青色に変化される。
【００３９】
書込み制限状態は、ディスプレイ１４に表示されている対象が割り当てられることができない状態であり、図中の矢印Ｓにより示される表示ボタン４２は、書込み制限状態である。表示ボタン４２は、対象が当該表示ボタン４２に既に割り当てられている場合、登録ボタン４４が押下されると、書込み制限状態になる。
【００４０】
また、登録ボタン４４は、押下されると、その外観が変化される。具体的には、登録ボタン４４の色、大きさ及び形状の少なくともいずれかが変化されて表示される。例えば、登録ボタン４４が押下されると、登録ボタン４４の色が黄色に変化される。
【００４１】
図６は、登録ボタン４４による、対象の表示ボタン４２への割り当てを説明する図である。
図６に示すように、登録ボタン４４が押下されて、表示ボタン４２が書込み準備状態になった状態で、登録ボタン４４が再度押下されると、対象が、書込み準備状態である表示ボタン４２のいずれかに割り当てられる。割り当てられる対象は、ディスプレイ１４ａ〜１４ｃのいずれかに表示されている対象であって、選択された対象である。ここで、選択された対象は、アクティブ化された対象ともいう。
【００４２】
多層ワーク支援装置１０は、対象を表示ボタン４２に割り当てる際、当該対象へのリンク経路の情報を取得する。リンク経路は、対象がＷｅｂページである場合にはＵＲＬであり、電子ファイルである場合には格納場所へのパス及びファイル名である。取得された情報は、図４に示されるボタン管理表に登録される。また、多層ワーク支援装置１０は、対象の割り当ての際、当該対象の最新ファイルをキャッシュ等に保存してもよい。
【００４３】
表示ボタン４２は、対象を割り当てられると、対象を示す文字列を表示する。本例では、Ａ社のホームページを示す「Ａ」が、表示ボタン４２に表示される。以降、当該表示ボタン４２が押下されると、割り当てられた対象が、ディスプレイ１４に表示される。
【００４４】
割当先の表示ボタン４２は、予め設定されている優先順位に従って選択される。例えば、割当先の表示ボタン４２は、情報アクセス装置１６の上段から、かつ左側から順に選択される。本例では、ディスプレイ１４ａに表示されている対象、即ちウインドウ１４０−１が表示ボタン４２に割り当てられている。
また、表示ボタン４２が書込み準備状態になった状態で、登録ボタン４４が再度押下されると、登録ボタン４４の外観が再度変化される。例えば、登録ボタン４４の色が赤色に変化される。
【００４５】
図７は、登録ボタン４４による、選択された対象の表示ボタンへの連続的な割り当てを説明する図である。
図７に示すように、表示ボタン４２が書込み準備状態になった状態で、ディスプレイ１４ｃに表示されているウインドウ１４０−２がマウス操作等により選択された上で、登録ボタン４４が再度押下されると、当該ウインドウ１４０−２に対応する対象が、表示ボタン４２に割り当てられる。さらに、ディスプレイ１４ｂに表示されているウインドウ１４０−３が選択された上で、登録ボタン４４が再度押下されると、当該ウインドウ１４０−３に対応する対象が、表示ボタン４２に割り当てられる。このようにして、表示ボタン４２が書込み準備状態である場合、選択された対象は、表示ボタン４２に順に割り当てられる。
【００４６】
多層ワーク支援装置１０は、複数の制御装置１００ａ〜１００ｅ並びにディスプレイ１４ａ〜１４ｃを含むので、ディスプレイ１４ａ〜１４ｃのそれぞれにおいて、アクティブ化されたウインドウが存在する場合がある。
図８は、登録ボタン４４による、複数の対象の表示ボタン４２への割り当てを説明する図である。
図８に示すように、複数のディスプレイ１４ａ〜１４ｃにおいて、アクディブ化されたウインドウ１４０−１〜１４０−３が存在する場合、表示ボタン４２が書込み準備状態になった状態で、登録ボタン４４が再度押下されると、当該複数の対象が、書込み準備状態である１つの表示ボタン４２に割り当てられる。
【００４７】
表示ボタン４２は、複数の対象を割り当てられると、複数の対象を示す文字列を表示する。本例では、Ａ社、Ｂ社並びにＣ社のホームページを示す「Ａ，Ｂ，Ｃ」が、表示ボタン４２に表示される。以降、当該表示ボタン４２が押下されると、割り当てられた対象、即ちＡ社、Ｂ社並びにＣ社のホームページが、ディスプレイ１４ａ〜１４ｃに表示される。このとき、複数の対象は、それぞれ異なるディスプレイ１４ａ〜１４ｃに表示されてもよい。
【００４８】
このようにして、多層ワーク支援装置１０は、複数の対象を表示する旨の指定を、１つの表示ボタン４２に設定する。このため、ユーザは、複数の対象を割り当てられた１つの表示ボタン４２を押下することにより、ディスプレイ１４に複数の対象を表示させることができる。
【００４９】
多層ワーク支援装置１０では、複数の対象がアクティブ化されている場合、当該複数の対象が、簡易な操作により、それぞれ異なる表示ボタン４２に割り当てられることもできる。
図９は、登録ボタン４４及び分割ボタン５２により、複数の対象のそれぞれが、異なる表示ボタン４２へ割り当てられる場合を説明する図である。
図９に示すように、登録ボタン４４が押下されて、表示ボタン４２が書込み準備状態になった状態で、分割ボタン５２が押下されると、表示ボタン４２は、分割書込み準備状態になる。複数の対象がアクティブ化されており、かつ表示ボタン４２が分割書込み準備状態になった状態で、登録ボタン４４が再度押下されると、当該複数の対象のそれぞれは、異なる表示ボタン４２へ割り当てられる。
【００５０】
表示ボタン４２が書込み準備状態になった状態で、分割ボタン５２が押下されると、分割ボタン５２の外観が変化される。例えば、分割ボタン５２の色が黄色に変化される。
分割書込み準備状態では、分割書込み準備状態であることがディスプレイ１４ａ〜１４ｃに表示されてもよい。本例では、「分割」と示された状態表示１４２−１〜１４２−３が、ディスプレイ１４ａ〜１４ｃの右上に表示される。
【００５１】
分割書込み準備状態で、分割ボタン５２が再度押下されると、表示ボタン４２が分割書込み準備状態から通常の書込み準備状態になる。ここで、通常の書込み準備状態を一括書込み準備状態ともいう。一括書込み状態では、一括書込み準備状態であることがディスプレイ１４ａ〜１４ｃに表示されてもよい。例えば、「一括」と示された状態表示が、ディスプレイ１４ａ〜１４ｃの右上に表示される。このように、「分割」及び「一括」のいずれかの状態表示がディスプレイ１４に表示されることにより、ユーザは、現在の状態を効果的に認識することができ、より効率よく割り当て操作を行うことができる。 
【００５２】
多層ワーク支援装置１０の割り当て操作において、ユーザは、割当先の表示ボタン４２を任意で選択することができる。
図１０は、選択された表示ボタン４２への割り当てを説明する図である。
図１０に示すように、登録ボタン４４が押下されて、表示ボタン４２が書込み準備状態になった状態で、いずれかの表示ボタン４２（例えば、図中のＤボタン）が押下されて選択されてから、登録ボタン４４が再度押下されると、対象は、選択された表示ボタン４２に割り当てられる。割り当てられる対象は、１つであってもよいし、複数であってもよい。このため、ユーザは、ユーザ自身が操作しやすい場所の表示ボタン４２に対象を割り当てることができ、操作性がより向上される。
【００５３】
図１１は、選択された複数の表示ボタン４２への割り当てを説明する図である。
図１１に示すように、複数のディスプレイ１４ａ〜１４ｃにおいて、アクディブ化されたウインドウ１４０−１〜１４０−３が存在する場合、表示ボタン４２が書込み準備状態になった状態で、複数の表示ボタン４２（例えば、図中のＤボタン、Ｅボタン及びＦボタン）が順に押下されて選択されてから、登録ボタン４４が再度押下されると、当該複数の対象のそれぞれは、選択された表示ボタン４２に順に割り当てられる。本例では、Ａ社のホームページ、Ｂ社のホームページ及び電子ファイルＣが、それぞれボタンＤ，ボタンＥ及びボタンＦに割り当てられる。 
【００５４】
多層ワーク支援装置１０の割り当て操作において、ユーザは、選択されたワークセットに含まれる複数の対象を、簡易な操作で、表示ボタン４２に割り当てることができる。
図１２は、選択されたワークセットに含まれる複数の対象の表示ボタン４２への割り当てを説明する図である。
図１２に示すように、ディスプレイ１４ａ〜１４ｃにおいて、アクティブ化されたワークセット１４０−５が存在する場合、表示ボタン４２が書込み準備状態になった状態で、抽出ボタン５４が押下されてから、登録ボタン４４が再度押下されると、ワークセットに含まれる複数の対象が、１つの表示ボタン４２に割り当てられる。例えば、ワークセットはフォルダであり、複数の対象のそれぞれは電子ファイルである。なお、抽出ボタン５４が押下されずに登録ボタン４４が再度押下された場合には、当該ワークセット１４０−５が表示ボタン４２に割り当てられる。
【００５５】
表示ボタン４２が書込み準備状態になった状態で、抽出ボタン５４が押下されると、抽出ボタン５４の外観が変化される。例えば、抽出ボタン５４の色が黄色に変化される。
【００５６】
図１３は、抽出ボタン５４及び分割ボタン５２により、選択されたワークセットに含まれる複数の対象のそれぞれが、異なる表示ボタン４２へ割り当てられる場合を説明する図である。
図１３に示すように、表示ボタン４２が書込み準備状態になった状態で、抽出ボタン５４に加えて分割ボタン５２が押下されてから、登録ボタン４４が再度押下されると、ワークセットに含まれる複数の対象のそれぞれは、異なる表示ボタン４２へ割り当てられる。
【００５７】
次に、実行ボタン５６及び解除ボタン４８の詳細を説明する。
実行ボタン５６は、表示ボタン４２が書込み準備状態になった状態で押下されることにより、割り当て操作を実行させるボタンである。このため、割り当ては、書込み準備状態において、登録ボタン４４及び実行ボタン５６のいずれかが押下されることにより実行される。
【００５８】
解除ボタン４８は、分割ボタン５２が押下されて分割書込み準備状態になった状態において押下されると、分割書込み準備状態を解除して、通常の書込み準備状態（一括書込み準備状態）に復帰させる。また、解除ボタン４８は、抽出ボタン５４が押下されている状態において押下されると、ワークセットに含まれる対象が抽出される状態を解除して、通常の書込み準備状態（ワークセット自身が割り当てられる状態）に復帰させる。
【００５９】
次に、制御ボタン４６による、表示ボタン４２の書込み準備状態及び制限状態の制御について説明する。
制御ボタン４６が押下されると、表示ボタン４２の状態が変更されうる状態（書込み変更状態）になる。書込み変更状態において、いずれかの表示ボタン４２が押下されると、当該表示ボタン４２の状態が反対に変更される。具体的には、当該表示ボタン４２が割り当て可能である場合、当該表示ボタン４２は割り当て不可能になり、当該表示ボタン４２が割り当て不可能である場合、当該表示ボタン４２は割り当て可能になる。対象が表示ボタン４２に対して既に割り当てられている場合、当該表示ボタン４２が割り当て可能になると、対象は当該表示ボタン４２に上書きされて割り当てられる。
【００６０】
書込み変更状態において、解除ボタン４８が押下されると、書込み変更状態が解除される。なお、書込み変更状態は、制御ボタン４６が再度押下されることにより、解除されてもよい。
【００６１】
図１４は、制御ボタン４６による表示ボタン４２の状態の制御を説明する図である。
図１４に示すように、図中の矢印Ｓにより示される表示ボタン４２は書込み制限状態である一方、制御ボタン４６が押下されてからボタンＵが押下されると、対象がボタンＵに対して新たに割り当てられるようになる。同様にして、図中の矢印Ｔにより示される表示ボタン４２は書込み準備状態である一方、制御ボタン４６が押下されてからボタンＶ等が押下されると、対象はボタンＶ等に対しては割り当てられないようになる。
【００６２】
次に、消去ボタン５０による、表示ボタン４２の割り当て内容の消去について説明する。
多層ワーク支援装置１０では、ユーザは、表示ボタン４２に割り当てられた内容を消去することができる。消去ボタン５０が押下されると、表示ボタン４２に割り当てられた内容が消去されうる状態になる。当該状態は、消去可能状態ともいわれる。消去可能状態において、既に割り当てられている表示ボタン４２が押下されると、当該表示ボタン４２に割り当てられている内容が消去される。
【００６３】
消去可能状態において、解除ボタン４８が押下されると、消去可能状態が解除される。なお、消去可能状態は、消去ボタン５０が再度押下されることにより、解除されてもよい。
【００６４】
図１５は、消去ボタン５０により表示ボタン４２の登録内容の消去を説明する図である。
図１５に示すように、消去ボタン５０が押下されてから、表示ボタン４２（例えば、図中の範囲Ｗに含まれる２つのボタン）が押下されると、当該表示ボタン４２に割り当てられた内容が消去される。また、当該表示ボタン４２において、表示されている文字列もまた削除される。
【００６５】
上述した割り当て操作及び消去操作が行われた際には、図４に示されるボタン管理表において、操作対象ボタンに関して、データの登録及び削除が行われる。
このようにして、情報アクセス装置１６の表示ボタン４２それぞれは、ユーザの操作に応じて、対象を割り当てられたり消去されたりする。また、登録内容は、多層ワーク支援装置１０において管理され、割り当て操作及び消去操作により変更される。
【００６６】
次に、多層ワーク支援装置１０による対象の自動割当てについて説明する。
本発明に係る多層ワーク支援装置１０は、ユーザ情報を記憶し、ユーザ情報に基づいて検索された対象を表示ボタン４２に割り当てる。より具体的には、ユーザが、興味のあるキーワードを予め多層ワーク支援装置１０に入力し、多層ワーク支援装置１０は、ユーザ毎にキーワードを記憶する。多層ワーク支援装置１０は、例えばインターネットを介して、記憶されているキーワードに基づいてＷｅｂページを定期的に検索し、検索されたＷｅｂページを表示ボタン４２に割り当てる。ここで、割当先の表示ボタン４２は、まだ対象が割り当てられていないボタンである。また、多層ワーク支援装置１０は、当該表示ボタン４２の外観を変化して表示し、ユーザに対して、情報が新たに割り当てられたことを告知する。例えば、多層ワーク支援装置１０は、当該表示ボタン４２の色、大きさあるいは形状を変化させたり、又は当該表示ボタン４２を点滅させたりする。
【００６７】
なお、検索処理においては、Ｗｅｂ上で公開されている検索エンジンが用いられてもよい。また、多層ワーク支援装置１０は、このような自動登録が行われる表示ボタン４２を、所定の領域の表示ボタン４２に限定してもよい。
【００６８】
図１６は、自動割当てにより、表示ボタン４２に割り当てられた対象を例示する図である。
図１６に例示するように、３つの表示ボタン４２（図中のＧ）は、ユーザにより登録されたキーワードに基づいて検索されたＷｅｂページを割り当てられたボタンである。本例では、ニュース１〜ニュース３のＷｅｂページが表示ボタン４２に割り当てられている。また、当該表示ボタン４２は、例えば、ボタンの色が赤色に変化されて表示される。なお、図中の矢印Ｘは、自動割当可能領域を示す。
【００６９】
上述したＷｅｂ検索処理は、例えば、所定の新聞記事検索サイトで、毎朝、当日の新聞記事を検索して、登録されているキーワードに関連する記事を表示するＵＲＬを、自動的に表示ボタン４２に登録する処理である。多層ワーク支援装置１０は、ユーザが、自動割当てされた表示ボタン４２を押下して当該Ｗｅｂページを閲覧した場合、当該表示ボタン４２の登録内容を自動的に消去してもよいし、当該表示ボタン４２を、割り当て不可能から割り当て可能に自動的に変更してもよい。
【００７０】
さらに、多層ワーク支援装置１０は、ユーザにより入力された単語から、キーワードを自動的に抽出してもよい。例えば、多層ワーク支援装置１０は、自動検索実行日から起算して過去一定期間（例えば１週間）に入力された単語に基づいてキーワードを抽出する。多層ワーク支援装置１０は、出現頻度が多い単語をキーワードとして抽出してもよく、例えば、所定の期間に入力された単語のうち上位３つを、キーワードとして抽出する。
【００７１】
また、多層ワーク支援装置１０は、例えば、自動検索実行日から起算して過去一定期間まで（例えば１週間）に、ユーザにより表示ボタン４２を介して指定されて表示された対象（例えば電子ファイル）に含まれる単語に基づいて、キーワードを抽出してもよい。このとき、多層ワーク支援装置１０は、出現頻度が多い単語をキーワードとして抽出してもよく、例えば上位３つをキーワードとして抽出する。
【００７２】
次に、上述した多層ワーク支援装置１０の割当方法並びに表示方法を実現するボタン管理プログラム２００について説明する。
図１７は、多層ワーク支援装置１０の制御装置１００（図２）により実行されるボタン管理プログラム２００の構成を示す図である。
図１７に示すように、ボタン管理プログラム２００は、ユーザインタフェース（ＵＩ）部２０２、通信部２０４、制御部２０６、登録部２０８、参照部２１０、削除部２１２、表示部２１４、設定部２１６及び情報記憶部２１８を有する。ボタン管理プログラム２００は、これらの構成部分により、複数のディスプレイ１４ａ〜１４ｃの少なくともいずれかにおいて選択された対象を受け付け、受け付けられた対象を表示ボタン４２に割り当てる。また、ボタン管理プログラム２００は、表示ボタン４２を介して複数の対象の指定を受け付け、受け付けられた対象を複数のディスプレイ１４ａ〜１４ｃの少なくともいずれかに表示する。このようにして、ボタン管理プログラム２００は、割当手段及び表示制御手段を構成する。
【００７３】
ボタン管理プログラム２００は、例えば、ネットワーク２、通信ＩＦ１０８（図２）などを介して処理装置１０２に供給され、メモリ１０６にロードされて、さらに処理装置１０２で動作するＯＳ上で、ハードウェアを具体的に利用して実行される。また、ボタン管理プログラム２００は、全ての制御装置１００ａ〜１００ｅにおいて実行されてもよいし、いずれかの制御装置１００において実行されてもよい。
【００７４】
ボタン管理プログラム２００において、ＵＩ部２０２は、情報アクセス装置１６及び入力装置２６に対するユーザの操作を受け入れ、後述する構成部分に対して出力する。ここで、ユーザの操作には、ボタン１８の押下（マウスによるクリックも含む）などが含まれる。また、ＵＩ部２０２は、後述する表示部２１４により作成された情報（画像データ等）及び各構成部分の処理内容などを、ディスプレイ１４及び情報アクセス装置１６に表示する。
【００７５】
通信部２０４は、通信ＩＦ１０８を介してデータを入出力し、中継装置１１２を介した多層ワーク支援装置１０内のデータの送受信、及びネットワーク２を介した外部のコンピュータとのデータの送受信を制御する。また、通信部２０４は、伝送される情報・データの改ざん防止のための暗号化処理を行ってもよい。
【００７６】
情報記憶部２１８は、図４に示されるボタン管理表、表示ボタン４２により指定される対象（Ｗｅｂページ等）の最新ファイル、文書作成ソフトウェアあるいは表計算ソフトウェアの電子ファイルなどを記憶する。また、情報記憶部２１８は、ユーザ情報を記憶してユーザ情報記憶手段を構成する。情報記憶部２１８は、記憶装置１１０（図２）及びメモリ１０６により実現される。
【００７７】
制御部２０６は、ユーザが表示ボタン４２及び登録ボタン４４等の機能ボタンを押下して行う入力をＵＩ部２０２を介して受け付け、他の構成要素を制御して所定の動作を行う。制御部２０６は、登録ボタン４４等を介しての対象の表示ボタン４２への割り当て操作を受け付けた場合、後述する登録部２０８を制御して、情報記憶部２１８に記憶されているボタン管理表に、受け付けられた入力に対応するデータを登録させる。複数の対象が登録される場合、制御部２０６は、押下された機能ボタン等に応じて、１つの表示ボタン４２に登録したり、それぞれ異なる表示ボタン４２に登録したりする。
【００７８】
また、制御部２０６は、消去ボタン５０を介しての表示ボタン４２へ割り当てられた内容の消去を受け付けた場合、後述する削除部２１２を制御して、情報記憶部２１８に記憶されているボタン管理表から、受け付けられた入力に対応するデータを削除させる。
【００７９】
さらに、制御部２０６は、表示ボタン４２を介しての対象のディスプレイ１４への表示を受け付けた場合、参照部２１０を介して、情報記憶部２１８に記憶されているボタン管理表を参照し、受け付けられた対象に関するデータを取得する。制御部２０６は、表示部２１４を制御して、指定された対象をウインドウとしてディスプレイ１４に表示させる。当該表示ボタン４２が複数の対象を指定する場合、制御部２０６は、当該複数の対象に関するデータを取得して、複数のウインドウをディスプレイ１４に表示させる。
【００８０】
制御部２０６は、機能ボタン等が押下された場合、表示部２１４を制御して、これらの機能ボタンの外観を変化させて、情報アクセス装置１６ａ，１６ｂに表示させる。
【００８１】
登録部２０８は、制御部２０６から受け付けた情報に基づいて、１つ以上の対象を表示ボタン４２に割り当てて、この表示ボタン４２のデータをボタン管理表（図４）に登録する。
参照部２１０は、制御部２０６から要求された情報に基づいて、情報記憶部２１８に記憶されているボタン管理表から、要求された表示ボタン４２に対応する対象（Ｗｅｂページ、電子ファイル等）及び表示ボタン４２の外観等を検索して、制御部２０６に対して出力する。
【００８２】
削除部２１２は、制御部２０６から受け付けた情報に基づいて、情報記憶部２１８に記憶されている表示ボタン４２のデータを削除する。
表示部２１４は、制御部２０６に制御されて、表示ボタン４２を介して指示された対象をディスプレイ１４に表示する。ここで、表示処理は、例えば、業務を実行するためのアプリケーションソフト（表計算ソフト、文書作成ソフト、遠隔会議用ソフト等）のウインドウ表示、Ｗｅｂページの表示等を含む。
【００８３】
また、表示部２１４は、制御部２０６に指示されたボタンの外観（色、大きさ、形状等）で、表示ボタン４２及び登録ボタン４４等の機能ボタンを、情報アクセス装置１６に表示する。さらに、表示部２１４は、後述する設定部２１６により実行される、対象の表示ボタン４２への自動割当処理の際に、設定部２１６から当該表示ボタン４２の外観のデータを受け付けて、当該表示ボタン４２の外観を変化させて、情報アクセス装置１６に表示する。
【００８４】
設定部２１６は、対象の表示ボタン４２への自動割当て処理を制御する。より具体的には、設定部２１６は、ユーザが入力装置２６あるいは情報アクセス装置１６を用いて入力したキーワードを、ユーザ毎に記憶し、所定のタイミングで、ユーザそれぞれのキーワードに基づいてＷｅｂページを検索する。例えば、設定部２１６は、毎日７時に検索処理を実行する。
【００８５】
設定部２１６は、検索されたＷｅｂページを、登録部２０８を制御して、情報記憶部２１８に記憶されているボタン管理表に記憶させ、当該Ｗｅｂページを表示ボタン４２に割り当てる。さらに、設定部２１６は、表示部２１４を制御して、割り当てられた表示ボタン４２の外観を変化させて、情報アクセス装置１６に表示させる。
【００８６】
図１８は、多層ワーク支援装置１０における登録処理（Ｓ１０）を示すフローチャートである。
図１８に示すように、ステップ１００（Ｓ１００）において、ボタン管理プログラム２００（図１７）の制御部２０６は、情報アクセス装置１６の登録ボタン４４がユーザにより押下されたか否かを判断する。登録ボタン４４が押下された場合には、制御部２０６はＳ１０２の処理に進み、そうでない場合にはＳ１００の処理に戻る。
【００８７】
ステップ１０２（Ｓ１０２）において、制御部２０６は、表示部２１４を制御して、登録ボタン４４の外観を変更して情報アクセス装置１６に表示させる。また、制御部２０６は、対象が割り当てられる表示ボタン４２を決定する。制御部２０６は、所定の優先順位に従って表示ボタン４２を選択する。例えば、表示ボタン４２は、情報アクセス装置１６においてより上段に表示されているほど、より下段に表示されている表示ボタン４２より高い優先順位を有し、より左側に表示されているほど、より右側に表示されている表示ボタン４２より高い優先順位を有する。
【００８８】
ステップ１０４（Ｓ１０４）において、制御部２０６は、続いて押下されたボタンが表示ボタン４２であるか登録ボタン４４であるかを判断する。制御部２０６は、表示ボタン４２が押下された場合にはＳ１０６の処理に進み、２度目の登録ボタン４４が押下された場合にはＳ１０８の処理に進む。
【００８９】
ステップ１０６（Ｓ１０６）において、制御部２０６は、対象の割当先の表示ボタン４２を、Ｓ１０２の処理で所定の優先順位に従って決定された表示ボタン４２から、ユーザにより押下された表示ボタン４２に変更する。
【００９０】
ステップ１０８（Ｓ１０８）において、制御部２０６は、表示部２１４を制御して、登録ボタン４４の外観をさらに変更させる。また、制御部２０６は、割当先の表示ボタン４２が１つであるか否かを判断する。制御部２０６は、割当先の表示ボタン４２が１つである場合にはＳ１１０の処理に進み、Ｓ１０６の処理においてユーザによる複数の表示ボタン４２が選択されている場合にはＳ１１６の処理に進む。
【００９１】
ステップ１１０（Ｓ１１０）において、制御部２０６は、２回目の登録ボタン押下時にアクティブである対象（ウインドウ）は１つであるか否かを判断する。制御部２０６は、アクティブである対象が１つである場合にはＳ１１２の処理に進み、そうでない場合にはＳ１１４の処理に進む。
【００９２】
ステップ１１２（Ｓ１１２）において、制御部２０６は、アクティブである１つの対象を１つの表示ボタン４２に割り当てて、登録部２０８を介して、情報記憶部２１８に記憶されているボタン管理表に当該対象のデータを登録する。また、制御部２０６は、表示部２１４を制御して、当該対象を表す文字列を、当該表示ボタン４２にさせる。
【００９３】
ステップ１１４（Ｓ１１４）において、制御部２０６は、アクティブである複数の対象を１つの表示ボタン４２に割り当てて、登録部２０８を介して、ボタン管理表に当該データを登録する。ここで、ボタン管理表の項目「接続先」には、複数の対象のＵＲＬ等が記憶される。制御部２０６は、表示部２１４を制御して、当該複数の対象を表す文字列を、当該表示ボタン４２にさせる。
【００９４】
ステップ１１６（Ｓ１１６）において、制御部２０６は、アクティブである複数の対象のそれぞれを、異なる表示ボタン４２に割り当てて、登録部２０８を介して、ボタン管理表に当該表示ボタン４２それぞれのデータを登録する。ここで、ボタン管理表には、複数の表示ボタン４２のデータが、新たに登録される。制御部２０６は、表示部２１４を制御して、当該複数の表示ボタン４２に、それぞれ対応する文字列を表示させる。
【００９５】
図１９は、多層ワーク支援装置１０における書込み制限設定処理（Ｓ２０）を示すフローチャートである。
図１９に示すように、ステップ２００（Ｓ２００）において、ボタン管理プログラム２００の制御部２０６は、情報アクセス装置１６の制御ボタン４６がユーザにより押下されたか否かを判断する。制御ボタン４６が押下された場合には、制御部２０６はＳ２０２の処理に進み、そうでない場合にはＳ２００の処理に戻る。
【００９６】
ステップ２０２（Ｓ２０２）において、制御部２０６は、表示ボタン４２を書込み変更状態とする。また、制御部２０６は、表示部２１４を制御して、制御ボタン４６の外観を変更して表示させる。
ステップ２０４（Ｓ２０４）において、制御部２０６は、続いて押下されたボタンが表示ボタン４２であるか解除ボタン４８であるかを判断する。制御部２０６は、表示ボタン４２が押下された場合にはＳ２０６の処理に進み、解除ボタン４８が押下された場合にはＳ２０８の処理に進む。なお、このとき、制御部２０６は、制御ボタン４６が再度押下された場合にＳ２０８の処理に進んでもよい。
【００９７】
ステップ２０６（Ｓ２０６）において、制御部２０６は、当該表示ボタン４２が割り当て可能である場合、当該表示ボタン４２を割り当て不可能に変更し、当該表示ボタン４２が割り当て不可能である場合、当該表示ボタン４２を割り当て可能に変更する。
ステップ２０８（Ｓ２０８）において、制御部２０６は、書込み変更状態を解除する。また、制御部２０６は、表示部２１４を制御して、制御ボタン４６の外観を、通常の外観に戻して表示させる。
【００９８】
図２０は、多層ワーク支援装置１０における、ワークセットに含まれる複数の対象が抽出されて登録される抽出処理（Ｓ３０）を示すフローチャートである。なお、なお、図２０に示された各処理のうち、図１８に示された処理（Ｓ１０）と実質的に同一のものには同一の符号が付されている。
図２０に示すように、Ｓ１００の処理で、登録ボタン４４が押下されたか否かが制御部２０６により判断される。
【００９９】
ステップ３００（Ｓ３００）において、ボタン管理プログラム２００の制御部２０６は、ユーザが抽出ボタン５４及び分割ボタン５２を押下して行う、対象の登録方法の設定を受け付ける。制御部２０６は、抽出ボタン５４及び分割ボタン５２の少なくともいずれかが押下された場合、押下されたボタンの外観を、表示部２１４を制御して変更して表示させる。
【０１００】
ステップ３０２（Ｓ３０２）において、制御部２０６は、２度目の登録ボタン４４が押下されたか否かを判断する。制御部２０６は、２度目の登録ボタンが押下された場合にはＳ３０４の処理に進み、そうでない場合にはＳ３０２の処理に戻る。
【０１０１】
ステップ３０４（Ｓ３０４）において、制御部２０６は、抽出ボタン５４が押下されているか否かを判断する。制御部２０６は、抽出ボタン５４が押下されている場合にはＳ３０６の処理に進み、そうでない場合にはＳ３１２の処理に進む。
【０１０２】
ステップ３０６（Ｓ３０６）において、制御部２０６は、分割ボタン５２が押下されているか否かを判断する。制御部２０６は、分割ボタン５２が押下されている場合にはＳ３０８の処理に進み、そうでない場合にはＳ３１０の処理に進む。
【０１０３】
ステップ３０８（Ｓ３０８）において、制御部２０６は、アクティブであるワークセット（フォルダ）に含まれている複数の対象（ファイル）それぞれを、異なる表示ボタン４２に割り当てて、登録部２０８を介して、情報記憶部２１８に記憶されているボタン管理表に当該複数の表示ボタン４２それぞれのデータを登録する。ボタン管理表には、ファイルを指定する複数の表示ボタン４２のデータが、新たに登録される。制御部２０６は、表示部２１４を制御して、当該複数の表示ボタン４２に、それぞれ対応する文字列を表示させる。
【０１０４】
ステップ３１０（Ｓ３１０）において、制御部２０６は、アクティブであるワークセットに含まれている複数の対象を、１つの表示ボタン４２に割り当てて、登録部２０８を介して、ボタン管理表に当該データを登録する。ボタン管理表の当該データにおいて、項目「接続先」には、複数の電子ファイルが記憶される。制御部２０６は、表示部２１４を制御して、当該複数の対象を表す文字列を、当該表示ボタン４２にさせる。
【０１０５】
ステップ３１２（Ｓ３１２）において、制御部２０６は、アクティブであるワークセット（フォルダ）自身を対象として表示ボタン４２に割り当てて、登録部２０８を介して、ボタン管理表に当該データを登録する。ボタン管理表の当該データにおいて、項目「接続先」には、フォルダへのパスが記憶される。制御部２０６は、表示部２１４を制御して、当該ワークセット（例えばフォルダ名）を表す文字列を、当該表示ボタン４２に表示させる。
【０１０６】
図２１は、多層ワーク支援装置１０における表示ボタン４２の登録内容の消去処理（Ｓ４０）を示すフローチャートである。
図２１に示すように、ステップ４００（Ｓ４００）において、ボタン管理プログラム２００の制御部２０６は、情報アクセス装置１６の消去ボタン５０がユーザにより押下されたか否かを判断する。消去ボタン５０が押下された場合には、制御部２０６はＳ４０２の処理に進み、そうでない場合にはＳ４００の処理に戻る。
【０１０７】
ステップ４０２（Ｓ４０２）において、制御部２０６は、表示ボタン４２の状態を、割り当てられた内容が消去されうる消去可能状態とする。また、制御部２０６は、表示部２１４を制御して、消去ボタン５０の外観を変更して表示させる。
【０１０８】
ステップ４０４（Ｓ４０４）において、制御部２０６は、続いて押下されたボタンが表示ボタン４２であるか解除ボタン４８であるかを判断する。制御部２０６は、表示ボタン４２が押下された場合にはＳ４０６の処理に進み、解除ボタン４８が押下された場合にはＳ４０８の処理に進む。なお、このとき、制御部２０６は、消去ボタン５０が再度押下された場合にＳ４０８の処理に進んでもよい。
【０１０９】
ステップ４０６（Ｓ４０６）において、制御部２０６は、当該表示ボタン４２に登録されている内容を消去する。より具体的には、制御部２０６は、削除部２１２を介して、情報記憶部２１８に記憶されているボタン管理表から、当該表示ボタン４２に対応するデータを削除する。また、制御部２０６は、表示部２１４を制御して、当該表示ボタン４２に表示されていた文字列を消去させる。
【０１１０】
ステップ４０８（Ｓ４０８）において、制御部２０６は、消去可能状態を解除する。また、制御部２０６は、表示部２１４を制御して、消去ボタン５０の外観を、通常の外観に戻して表示させる。
【０１１１】
以上説明したように、本発明に係る多層ワーク支援装置１０は、複数のディスプレイ１４ａ〜１４ｃと、表示ボタン４２と、ディスプレイ１４ａ〜１４ｃの少なくともいずれかにおいて選択された対象を、表示ボタン４２に割り当てる割当手段とを有する。これにより、ユーザは、表示対象を指定する表示ボタン４２に、表示対象を簡単に割り当てることができる。
また、多層ワーク支援装置１０は、複数のディスプレイ１４ａ〜１４ｃにおいて選択された複数の対象を１つの表示ボタン４２に割り当てたり、選択された複数の対象それぞれを異なる表示ボタン４２に割り当てたりする。これにより、ユーザは、複数の対象を、一度の操作で効率よく表示ボタン４２に割り当てることができる。
さらに、多層ワーク支援装置１０は、選択されたワークセットに含まれる複数の対象を表示ボタン４２に割り当てる。これにより、ユーザは、ボタン割り当て操作において負担が軽減される。
【０１１２】
本発明に係る多層ワーク支援装置１０は、ユーザ情報を記憶するユーザ情報記憶手段をさらに有し、多層ワーク支援装置１０は、ユーザ情報記憶手段により記憶されているユーザ情報に基づいて検索された対象を表示ボタン４２に割り当てる。特に、多層ワーク支援装置１０は、ユーザ情報に基づいて検索された対象を表示ボタン４２に割り当てた場合、当該表示ボタン４２の外観を変化する。これにより、多層ワーク支援装置１０は、ユーザが必要とする複数の対象を自動的に表示ボタン４２に割り当てることができる。このため、ユーザは、関心のある対象が割り当てられていることを効果的に認識し、当該対象を、簡単に表示し閲覧することができる。
【０１１３】
さらに、本発明に係る多層ワーク支援装置１０は、複数のディスプレイ１４ａ〜１４ｃと、表示ボタン４２と、表示ボタン４２に割り当てられた対象を複数のディスプレイ１４ａ〜１４ｃの少なくともいずれかに表示する表示制御手段とを有する。これにより、ユーザは、複数の対象を、効率よく簡便に、複数のディスプレイ１４ａ〜１４ｃに表示させることができる。特に、多層ワーク支援装置１０では、表示ボタン４２により指定された複数の対象は、それぞれ異なるディスプレイ１４ａ〜１４ｃに表示される。また、多層ワーク支援装置１０は、複数のディスプレイ１４ａ〜１４ｃと、表示ボタン４２と、ディスプレイ１４ａ〜１４ｃの少なくともいずれかにおいて選択された対象を、表示ボタン４２に割り当てる割当手段と、この割当手段により割り当てられた対象を、表示ボタン４２の操作に基づいて複数のディスプレイ１４ａ〜１４ｃの少なくともいずれかに表示する表示制御手段とを有する。これにより、ユーザは、複数の対象を、視認性が向上された上で、一度に閲覧することができる。
【図面の簡単な説明】
【０１１４】
【図１】本発明の実施形態に係る多層ワーク支援装置１０を示す図である。
【図２】多層ワーク支援装置１０において用いられるコンピュータのハードウェア構成を示す図である。
【図３】情報アクセス装置１６に表示されるボタン群と、ディスプレイ１４に表示されるウインドウ１４０を例示する図である。
【図４】表示ボタン４２それぞれに割り当てられている項目を管理するボタン管理表を例示する図である。
【図５】登録ボタン４４が押下されて、表示ボタン４２が書込み準備状態になった状態を示す図である。
【図６】登録ボタン４４による、対象の表示ボタン４２への割り当てを説明する図である。
【図７】登録ボタン４４による、選択された対象の表示ボタンへの連続的な割り当てを説明する図である。
【図８】登録ボタン４４による、複数の対象の表示ボタン４２への割り当てを説明する図である。
【図９】登録ボタン４４及び分割ボタン５２により、複数の対象のそれぞれが、異なる表示ボタン４２へ割り当てられる場合を説明する図である。
【図１０】選択された表示ボタン４２への割り当てを説明する図である。
【図１１】選択された複数の表示ボタン４２への割り当てを説明する図である。
【図１２】選択されたワークセットに含まれる複数の対象の表示ボタン４２への割り当てを説明する図である。
【図１３】抽出ボタン５４及び分割ボタン５２により、選択されたワークセットに含まれる複数の対象のそれぞれが、異なる表示ボタン４２へ割り当てられる場合を説明する図である。
【図１４】制御ボタン４６による表示ボタン４２の状態の制御を説明する図である。
【図１５】消去ボタン５０により表示ボタン４２の登録内容の消去を説明する図である。
【図１６】自動割当てにより、表示ボタン４２に割り当てられた対象を例示する図である。
【図１７】多層ワーク支援装置１０の制御装置１００（図２）により実行されるボタン管理プログラム２００の構成を示す図である。
【図１８】多層ワーク支援装置１０における登録処理（Ｓ１０）を示すフローチャートである。
【図１９】多層ワーク支援装置１０における書込み制限設定処理（Ｓ２０）を示すフローチャートである。
【図２０】多層ワーク支援装置１０における、ワークセットに含まれる複数の対象が抽出されて登録される抽出処理（Ｓ３０）を示すフローチャートである。
【図２１】多層ワーク支援装置１０における表示ボタン４２の登録内容の消去処理（Ｓ４０）を示すフローチャートである。
【符号の説明】
【０１１５】
１０ 多層ワーク支援装置
１２ 装置本体
１４ ディスプレイ
１６ 情報アクセス装置
１８ ボタン
４２ 表示ボタン
４４ 登録ボタン
４６ 制御ボタン
４８ 解除ボタン
５０ 消去ボタン
５２ 分割ボタン
５４ 抽出ボタン
５６ 実行ボタン
１００ 制御装置
１０２ 処理装置
１０４  ＣＰＵ
１０６ メモリ
１１０ 記憶装置
１１２ 中継装置
２００ ボタン管理プログラム
２０２ ＵＩ部
２０４ 通信部
２０６ 制御部
２０８ 登録部
２１０ 参照部
２１２ 削除部
２１４ 表示部
２１６ 設定部
２１８ 情報記憶部
【図１】
2007133568.tif 000003
【図２】
2007133568.tif 000004
【図３】
2007133568.tif 000005
【図４】
2007133568.tif 000006
【図５】
2007133568.tif 000007
【図６】
2007133568.tif 000008
【図７】
2007133568.tif 000009
【図８】
2007133568.tif 000010
【図９】
2007133568.tif 000011
【図１０】
2007133568.tif 000012
【図１１】
2007133568.tif 000013
【図１２】
2007133568.tif 000014
【図１３】
2007133568.tif 000015
【図１４】
2007133568.tif 000016
【図１５】
2007133568.tif 000017
【図１６】
2007133568.tif 000018
【図１７】
2007133568.tif 000019
【図１８】
2007133568.tif 000020
【図１９】
2007133568.tif 000021
【図２０】
2007133568.tif 000022
【図２１】
2007133568.tif 000023